(57)【要約】【課題】警報出力板の形状，支持構造を改良し、一枚の板で回路遮断器に付属する内装および外装付属スイッチのいずれにも柔軟に対応できる警報出力装置を提供する。【解決手段】回路遮断器のトリップ動作に連動して付属の警報スイッチへ機械的な警報信号を出力する警報出力装置として、開閉機構部３に組付けた警報出力板７を介して付属の警報スイッチを切換え動作させるようにしたものにおいて、警報出力板７を、その頂部を揺動支点Ｐとして付属の内装警報スイッチ５，および外装警報スイッチ６に向け延在する二股状の脚片７ａ，７ｂを有する形状とし、かつ各脚片の先端に内装および外装の警報スイッチと個々に対応する突起状の操作端部７ａ-1，７ｂ-1を設けた上で、前記揺動支点を開閉機構部の支軸３ｇに軸支し、かつ該軸支点から偏芯したオフセット位置Ｑを開閉機構部の引外し動作に連動するラッチのトグル軸に直接嵌合して係脱自在に装着する。【選択図】        図１
2005085499.tif 000002
【特許請求の範囲】
【請求項１】
回路遮断器のトリップ動作に連動して付属の警報スイッチへ機械的な警報信号を出力する警報出力装置であって、開閉機構部のフレーム外面側に該開閉機構部のラッチに連繋して作動する警報出力板を備え、該警報出力板の動きを付属の警報スイッチに伝えてそのスイッチ接点を切り換え動作させるようにしたものにおいて、
前記の警報出力板に、回路遮断器に付属の内装および外装警報スイッチと個々に対応する二つの操作端部を設けたことを特徴とする回路遮断器の警報出力装置。
【請求項２】
請求項１に記載の警報出力装置において、警報出力板がその頂部を揺動支点として内装警報スイッチ，および外装警報スイッチに向けて延在する二股状の脚片を有する揺動板であり、前記揺動支点を開閉機構部に軸支し、かつ該軸支点からオフセットした位置を開閉機構部のラッチに連動するトグル軸に直接連結させるとともに、前記各脚片の先端に操作端部を設けたことを特徴とする回路遮断器の警報出力装置。
【請求項３】
請求項１または２に記載の警報出力装置において、警報出力板を開閉機構部へ係脱可能に装着したことを特徴とする回路遮断器の警報出力装置。
【発明の詳細な説明】
【技術分野】
【０００１】
本発明は、オートブレーカなどの回路遮断器に装備し、トリップ動作に連動して回路遮断器に付属の警報スイッチへ機械的な警報信号を出力する警報出力装置に関する。
【背景技術】
【０００２】
周知のように、頭記の回路遮断器には付属装置（オプション品）として、回路遮断器のオン，オフ状態を検出して外部に電気信号を出力する補助スイッチの他に、回路遮断器のトリップ動作を検出して電気信号を出力する警報スイッチが用意されており、この警報スイッチ（付属装置）に対応して、開閉機構部のフレーム外面側に該開閉機構部のラッチ（過電流の検出時に動作する）に連繋して作動する警報出力板を装備し、この警報出力板の動きを前記警報スイッチに伝えて該スイッチを切換え動作させるようにした警報出力装置を備えた回路遮断器が知られている（例えば、特許文献１参照）。
【０００３】
また、前記の特許文献１に開示されている警報出力板について、この警報出力板に設けた突起状の操作端部を遮断器本体のケース内に画成した複数の付属装置収納部に対応させて配置し、ユーザーが使用する内装付属スイッチの種類，収納位置を自由に選択できるようにした構成（特許文献２参照）、さらには警報出力板の操作端部を出力板の左右両端部に設け、遮断器本体のケースの左右外側面に装着して使用する外装付属スイッチに対応させるようにした構成（特許文献３参照）が本発明と同一出願人より提案されている。
【０００４】
ここで、前記の特許文献１〜３に開示されている警報出力板は、開閉機構部のフレーム外面に添わせて上下方向へスライド可能に案内支持したプレートであって、駆動ばねを介して上方に付勢している。そして、常時は警報出力板を下降位置に係止保持しておき、回路遮断器が過電流を検出してトリップ動作する際に、そのラッチの動きを捕らえて警報出力板を横方向にスライドさせることにより警報出力板の係止を釈放し、駆動ばねのばね力により上方に引き上げる過程で突起状の操作端部を介して付属の警報スイッチを切換え操作するようにしている。
【特許文献１】特開２００１−５２５８９号公報
【特許文献２】特開２００１−２９７６８０号公報
【特許文献３】特開２００１−２９７６８１公報
【発明の開示】
【発明が解決しようとする課題】
【０００５】
ところで、前記した従来のスライド式警報出力板には次に記すような問題点がある。
【０００６】
(1) 警報出力板をスライド可能に案内支持するガイド機構，待機位置に係止する機構，駆動ばねを含めた部品点数，組立工数が増すほか、警報出力板のスライドスペースを確保するために遮断器ケースの外形サイズが大形になる。さらに、動作，信頼性の面でもスライド摩擦抵抗，部品の磨耗，ガタが生じ易く、また外部から加わる振動，衝撃などで警報出力板の係止が不測に外れて付属の警報スイッチが誤動作するおそれがある。
【０００７】
(2) また、回路遮断器は定格電圧，電流によって開閉機構部の主スプリング，相間絶縁距離，ケース外形サイズなどの仕様が異なることから、従来のスライド式警報出力板を採用するには、警報出力板，および該警報出力板を装着する開閉機構部を回路遮断器の各フレーム別に設計，製作する必要があって部品管理が煩雑となる。
【０００８】
(3) さらに、回路遮断器の付属装置には、先記のように遮断器本体のケース内方に画成した付属装置収納部に装着して使用する内装付属スイッチ、およびケースの外側面に装着して使用する外装付属スイッチがある。したがって、ユーザーが採用する付属スイッチの種類を自由に選択できるようにするためにも、回路遮断器に装備する警報出力板は、同じ警報出力板で内装付属スイッチおよび外装付属スイッチのいずれにも対応できることが要求される。しかしながら、従来のスライド式警報出力板でこのような要求に対応させるには、構造，形状がさらに複雑となる。
【０００９】
本発明は上記の点に鑑みなされたものであり、その目的は従来のスライド式警報出力板に比べて簡易な形状，支持構造で、しかも回路遮断器に付属する内装付属スイッチ，外装付属スイッチのいずれにも柔軟に対応できる警報出力装置を提供することにある。
【課題を解決するための手段】
【００１０】
上記目的を達成するために、本発明によれば、回路遮断器のトリップ動作に連動して付属の警報スイッチへ機械的な警報信号を出力する警報出力装置として、開閉機構部のフレーム外側面に該開閉機構部のラッチに連繋して作動する警報出力板を備え、この警報出力板の動きを付属の警報スイッチに伝えてその接点を切換え動作させるようにしたものにおいて、
前記警報出力板を揺動動作式として、該警報出力板に回路遮断器の内装および外装警報スイッチと個々に対応する二つの操作端部を設けるものとし（請求項１）、具体的には次記のような態様で構成する。
【００１１】
(1) 前記の揺動式警報出力板を、その頂部を揺動支点として内装の警報スイッチおよび外の装警報スイッチに向け延在する二股状の脚片を有する揺動板で構成し、前記揺動支点を開閉機構部に軸支し、かつ該軸支点から偏芯したオフセット位置を開閉機構部の引外し動作に連動するラッチのトグル軸に直接連結するとともに、前記各脚片の先端にそれぞれ内装および外装の警報スイッチに対応する突起状の操作端部を設ける（請求項２）。
【００１２】
(2) 回路遮断器への組立性の利便化を図るために、前記警報出力板を開閉機構部に対して係脱可能に装着する（請求項３）。
【発明の効果】
【００１３】
上記構成の警報出力装置によれば、一枚の警報出力板を回路遮断器の開閉機構部に組付けるだけで、トリップ動作時には回路遮断器に付属させた内装，外装警報スイッチのいずれにも機械的な警報信号を与えることができる。したがって、回路遮断器のユーザーは採用する警報スイッチを内装，外装いずれのタイプでも自由に選択できる。
【００１４】
また、揺動式の警報出力板は従来のスライド式警報出力板に比べて複雑なガイド，係止機構，駆動ばねなどを要さず、開閉機構部の部品に嵌合して連結するだけで簡単に組付けられ、さらに機能，信頼性の面でも警報出力板に摺動摩擦による磨耗，ガタなどの発生もなく、長期に亘り安定した動作と高い信頼性が得られる。
【発明を実施するための最良の形態】
【００１５】
上記のように本発明の警報出力装置は、回路遮断器の開閉機構部に組付けてトリップ動作に応動する警報出力板を揺動動作式として、回路遮断器に付属の内装および外装の警報スイッチに機械的な警報信号を出力するようにしたものであり、以下にその具体的な実施例を図面に基づいて説明する。
【実施例１】
【００１６】
まず、図１(a) 〜(c) において、１は回路遮断器、１ａは回路遮断器１のケース、２は電流遮断部、３は主回路接点の開閉機構部、４は操作ハンドル（ロータリー式ハンドル）、５は回路遮断器１のケース内部に挿入配置した内装付属装置としての内装警報スイッチ、６はケースの外側面に取付けた外装付属装置としての外装警報スイッチ、７は開閉機構部３の組立フレーム３ａに装備した警報出力板である。なお、図示してないが、回路遮断器１には過電流検出装置が組み込まれている。
【００１７】
ここで、開閉機構部３は、図２(a) ，図３(a) で示すように組立フレーム３ａの内部に、操作ハンドル４（図１参照）の駆動歯車に噛み合う従動歯車３ｂ，トグルリンク３ｃ，ラッチ３ｄ，常時はラッチ３ｄを鎖錠位置に拘束し、過電流検出装置の信号を受けてラッチ３ｄの鎖錠を釈放するラッチ受け３ｅ，電流遮断部２（図１(b) 参照）の可動接触子（図示せず）をＯＮ，ＯＦＦ位置に駆動する開閉レバー３ｆ，開閉レバー３ｆの駆動ばね３ｆ-1などの各部品を組付けた構成になる。また、回路遮断器のトリップ動作に関与する前記ラッチ３ｄは、一端が前記歯車３ｂの支軸３ｇと同じ軸上に軸支され、他端がラッチ受け３ｅに係止されているレバーで、その中間部分とトグルリンク３ｃとの間がＵ字形のトグル軸３ｈを介して連結されている。
【００１８】
この開閉機構部３の動作については先記の特許文献１に詳しく述べられており、ここでは簡単に説明する。すなわち、図２(a) はＯＮ，図３(a) はトリップ動作の状態を表しており、回路遮断器の過電流検出装置が主回路の過電流を検出してラッチ３ｄを釈放すると、図３(a) のように開閉機構部３のラッチ３ｄがばね付勢を受けて支軸３ｇを支点に時計方向に回動し、この動きに従動するトグル軸３ｈを介してラッチ３ｄに連繋されているトグルリンク３ｃが図示のように「く」の字に座屈して開閉レバー３ｆの拘束を釈放する。その結果、駆動ばね３ｆ-1の蓄勢ばね力により開閉レバー３ｆが回動し、電流遮断部２（図１(b) 参照）の主回路接点を開離して電流を遮断する。
【００１９】
次に、図１で述べた本発明による傾動式の警報出力板７について、その形状および開閉機構部３への取付構造を説明する。すなわち、本発明による警報出力板７は、図１(a) で示すように全体が逆Ｖ字形の二股形状になり、その頂部に開口した軸穴Ｐを揺動支点として左右に延在する脚片７ａ，７ｂを有し、各脚片７ａ，７ｂの先端にはそれぞれ回路遮断器１に付属する内装警報スイッチ５，外装警報スイッチ６に対応する突起状の操作端部７ａ-1，７ｂ-1が形成されている。ここで、前記警報出力板７は支軸３ｇを支点として揺動するが、この警報出力板７の揺動を利用して操作端部７ｂ-1に対応する移動軌跡上に外部警報スイッチ６の動作レバー（図示せず）を配置して警報出力板の操作下端部７ｂ-1で外部警報スイッチ６の動作レバーを操作できるようにしており、この構成で回路遮断器に付属させた内装，外装の各付属スイッチを一枚の警報出力板で操作できるようにしている。さらに、前記軸穴Ｐから偏芯したオフセット位置には別な軸穴Ｑが開口しており、この軸穴Ｐ，Ｑがそれぞれ図２(a) ，図３(a) で説明した開閉機構部３の支軸３ｇ，トグル軸３ｈと同軸に対応している。
【００２０】
そして、上記の警報出力板７を開閉機構部３に組付けるには、図示のように組立フレーム３ａの外側面に警報出力板７を添わせ、前記軸穴Ｐ，Ｑを開閉機構部３に設けた支軸３ｇ，トグル軸３ｈに嵌合して挿脱自在に直接連結する。ここで、図１(b) は回路遮断器１の開閉機構部３に警報出力板７を組付けた状態を表しており、この装着位置で各脚片７ａ，７ｂの操作端部７ａ-1，７ｂ-1がそれぞれ回路遮断器１に付属させた内装警報スイッチ５，外装警報スイッチ６の動作端部に対応している。
【００２１】
上記の構成で、回路遮断器１のＯＮ状態（図２(a) 参照）では、警報出力板７が図２(b) に示す位置に後退待機している。なお、回路遮断器１をハンドル４の操作でＯＦＦに切り換えた場合には、ラッチ３ｄは図２(a) の位置に停止したままで、警報出力板７も図２(b) の位置に保持される。
【００２２】
この状態から主回路の過電流を検出して回路遮断器１がトリップ動作すると、図３(a) で説明したラッチ３ｄの回動（時計方向）に連動して警報出力板７は、頂部の支軸３ｇを支点として図２(a) の位置からトグル軸３ｈと一緒に時計方向に揺動して図３(b) の位置に移動する。そして、この警報出力板７の移動過程で、左側の脚片７ａに設けた操作端部７ａ-1が回路遮断器１のケース１内に付属させた内装警報スイッチ５の接点をＯＮに切り換え、該スイッチ５より外部に電気的な警報信号（トリップ動作の信号）を出力する。
【００２３】
また、同時に右側の脚片７ｂに設けた操作端部７ｂ-1が、図１(c) のように遮断器ケースの右側側面に付属させた外装警報スイッチ６の接点をＯＮに切り換え、該スイッチ６より外部に電気的な警報信号を出力する。なお、図示してないが、外装警報スイッチ６には回路遮断器１のケース側面に開口した窓穴を通して警報出力板７の操作端部７ｂ-1の移動経路上に突き出す動作レバーを備えており、この動作レバーを回路遮断器のトリップ動作時に警報出力板７の操作端部７ｂ-1がキックして警報スイッチをＯＮに切り換え、外部に電気信号を出力する。
【００２４】
以上の説明から判るように、図示実施例の警報出力板７は一枚で回路遮断器に付属の内装警報スイッチ５および外装警報スイッチ６に機械的な警報信号を出力することができる。しかも、警報出力板７は単純な形状で、開閉機構部３への装着も簡単に行える。
【実施例２】
【００２５】
次に、先記実施例１の応用例として、定格の異なる回路遮断器に適用する警報出力板の実施例を図４(a),(b) に示す。この実施例の回路遮断器１は図１(b) に示した回路遮断器と比べて定格容量，ケースの外形サイズが大であり、これに合わせて警報出力板７はその脚片および操作端部７ａ-1，７ｂ-1を図４(a) で示すような形状に変更した上で、実施例１で述べたと同様な方法で開閉機構部３に組付けて使用する。
【００２６】
上記のように、本発明の傾動式警報出力板７を採用し、形状の異なる警報出力板を選択して同じ開閉機構部に系脱可能に装着することにより、定格，外形サイズの異なる回路遮断器に適用する場合でも、各遮断器に共通な開閉機構部を用いながら該開閉機構部に取り付ける警報出力板７の形状を変更するだけで、回路遮断器に付属させる内装および外装の警報スイッチを共用できる。
【図面の簡単な説明】
【００２７】
【図１】本発明の実施例１に係わる回路遮断器，警報出力装置の構成図で、(a) は開閉機構部，警報出力板を分離した状態での正面図、(b) は(a) の開閉機構部，警報出力板の組立体を搭載した回路遮断器の模式正面図、(c) は回路遮断器に内装付属スイッチ，外装付属スイッチを装備した状態の平面図
【図２】図１の回路遮断器の動作説明図で、(a),(b) はそれぞれ回路遮断器ＯＮでの開閉機構部，および警報出力板の動作状態を表す図
【図３】図２に対応する回路遮断器のトリップ動作時の説明図、(a),(b) はそれぞれ開閉機構部，および警報出力板の動作状態を表す図
【図４】本発明の実施例２に係わる構成図で、(a) は警報出力板の正面図、(b) は(a) の警報出力板および開閉機構部の組立体を搭載した回路遮断器の模式正面図
【符号の説明】
【００２８】
１    回路遮断器
２    電流遮断部
３    開閉機構部
３ａ  組立フレーム
３ｄ  ラッチ
３ｇ  支軸
３ｈ  トグル軸
５    内装警報スイッチ
６    外装警報スイッチ
７    警報出力板
７ａ，７ｂ  脚片
７ａ-1，７ｂ-1  操作端部
【図１】
2005085499.tif 000003
【図２】
2005085499.tif 000004
【図３】
2005085499.tif 000005
【図４】
2005085499.tif 000006